(57)【要約】【課題】親水性のシートと疎水性のシートによって汗の吸収及び蒸散を促しつつも、吸収した汗の水滴化を抑制可能な吸収性物品を提供すること。【解決手段】吸収性本体（１０）と、腹側胴回り部（３０ａ）及び背側胴回り部（３０ｂ）を有する外装体（３０）と、を有する吸収性物品（１）であって、外装体は、第１疎水性シート（３０１）と、第２疎水性シート（３０２）と、親水性シート（３０３）とを有し、第２疎水性シート（３０２）の少なくとも一部の領域は、開口を有する領域（４５）であり、厚さ方向に見た場合に、親水性シート（３０３）のうちの、第２疎水性シート（３０２）の開口を有する領域（４５）と重複する部分を重複部（５０）とし、開口を有する領域（４５）と重複しない部分を非重複部（５１）としたとき、重複部（５０）の面積は、非重複部（５１）の面積よりも小さい。【選択図】図５
2020127539.tif 000002
【特許請求の範囲】
【請求項１】
展開状態において互いに交差する長手方向と幅方向と厚さ方向とを有し、
液体を吸収する吸収性本体と、
前記吸収性本体の前記長手方向の一端側に位置する腹側胴回り部と、前記吸収性本体の前記長手方向の他端側に位置する背側胴回り部とを有する外装体と、
を有する吸収性物品であって、
前記外装体は、前記厚さ方向において、肌側に配置された第１疎水性シートと、前記第１疎水性シートよりも非肌側に配置された第２疎水性シートと、前記第１疎水性シートと前記第２疎水性シートとの間に設けられた親水性シートとを有し、
前記外装体の前記腹側胴回り部及び前記背側胴回り部の少なくとも一方において、前記第２疎水性シートの少なくとも一部の領域は、開口を有する領域であり、
前記厚さ方向に見た場合に、前記親水性シートのうちの、前記第２疎水性シートの前記開口を有する領域と重複する部分を重複部とし、前記開口を有する領域と重複しない部分を非重複部としたとき、
前記重複部の面積は、前記非重複部の面積よりも小さい
ことを特徴とする吸収性物品。
【請求項２】
請求項１に記載の吸収性物品であって、
前記外装体の前記腹側胴回り部及び前記背側胴回り部の少なくとも一方において、前記親水性シートは、前記非重複部のみを有する
ことを特徴とする吸収性物品。
【請求項３】
請求項１又は２に記載の吸収性物品であって、
前記外装体の前記腹側胴回り部及び前記背側胴回り部において、前記親水性シートは、前記重複部を有しており、
前記腹側胴回り部における前記重複部の面積は、前記背側胴回り部における前記重複部の面積よりも小さい
ことを特徴とする吸収性物品。
【請求項４】
請求項１から請求項３のいずれか１項に記載の吸収性物品であって、
前記吸収性本体は、吸収性コアを備え、
前記長手方向において、前記腹側胴回り部における前記吸収性コアの端から前記親水性シートの前記吸収性本体側の端までの距離は、前記背側胴回り部における前記吸収性コアの端から前記親水性シートの前記吸収性本体側の端までの距離よりも長い
ことを特徴とする吸収性物品。
【請求項５】
請求項１から請求項４のいずれか１項に記載の吸収性物品であって、
前記腹側胴回り部及び前記背側胴回り部は、前記幅方向に伸縮する弾性部材を有している
ことを特徴とする吸収性物品。
【請求項６】
請求項５に記載の吸収性物品であって、
前記弾性部材は、前記第２疎水性シートと接合されていない部分を有し、
前記弾性部材は、前記親水性シートと前記第２疎水性シートとの間に配置される
ことを特徴とする吸収性物品。
【請求項７】
請求項５又は６に記載の吸収性物品であって、
前記弾性部材は、前記長手方向に並んで複数設けられており、
前記長手方向に隣り合う二つの前記弾性部材の間の距離は、前記弾性部材自体の前記長手方向の長さの２倍よりも長い
ことを特徴とする吸収性物品。
【請求項８】
請求項５から請求項７のいずれか一項に記載の吸収性物品であって、
前記弾性部材は、前記幅方向の両端部において、前記親水性シートに接合されている一対の両端接合部を有し、
前記弾性部材は、前記一対の両端接合部の間に、前記親水性シートに接合されていない非接合部を有する
ことを特徴とする吸収性物品。
【請求項９】
請求項５から請求項８のいずれか一項に記載の吸収性物品であって、
前記吸収性本体は、吸収性コアを備え、
前記親水性シートと前記吸収性コアとの間には、少なくとも一つの前記弾性部材が設けられている
ことを特徴とする吸収性物品。
【請求項１０】
請求項５から請求項９のいずれか一項に記載の吸収性物品であって、
前記親水性シートと前記吸収性本体との間には、少なくとも一つの前記弾性部材が設けられている
ことを特徴とする吸収性物品。
【請求項１１】
請求項１から請求項１０のいずれか１項に記載の吸収性物品であって、
前記第１疎水性シートと前記親水性シートとが前記厚さ方向に見て重複する領域において、前記第１疎水性シートは、複数の開口を有している
ことを特徴とする吸収性物品。
【請求項１２】
請求項１から請求項１０のいずれか１項に記載の吸収性物品であって、
前記第１疎水性シートと前記親水性シートとが前記厚さ方向に見て重複する領域において、前記第１疎水性シートは、開口が存在しない非開口領域のみを有している
ことを特徴とする吸収性物品。
【発明の詳細な説明】
【技術分野】
【０００１】
本発明は、吸収性物品に関する。
【背景技術】
【０００２】
尿などの排泄物を吸収する吸収性物品として使い捨ておむつ等が知られている。例えば、特許文献１には、弾性部材による伸縮領域が形成された腹側ウエストフラップ及び背側ウエストフラップを有し、該伸縮領域に汗を吸収可能な親水性の吸汗シート部が配されている使い捨ておむつが開示されている。
【先行技術文献】
【特許文献】
【０００３】
【特許文献１】国際公開第２０１８−１１６４７９号公報
【発明の概要】
【発明が解決しようとする課題】
【０００４】
特許文献１のおむつでは、おむつの前後胴回り部に汗を吸収する親水性の吸汗シート部を疎水性のシートの間、若しくは着用者の肌側面に設けることで汗を吸収させているが、このような場合、吸収した汗が充分に蒸散されず、肌かぶれの原因となることがある。
【０００５】
また、汗の蒸散向上のためにおむつの非肌側面にさらに切り込み等を設けた場合、汗の蒸散量は増加するものの、蒸散した汗が該切り込み等の部分に溜まり易く、その一部が水滴化して衣類を濡らし、漏れが生じていると誤認される虞がある。
【０００６】
本発明は、上記のような従来の問題に鑑みてなされたものであって、その目的は、親水性のシートと疎水性のシートによって汗の吸収及び蒸散を促しつつも、吸収した汗の水滴化を抑制可能な吸収性物品を提供することにある。
【課題を解決するための手段】
【０００７】
上記目的を達成するための主たる発明は、展開状態において互いに交差する長手方向と幅方向と厚さ方向とを有し、液体を吸収する吸収性本体と、前記吸収性本体の前記長手方向の一端側に位置する腹側胴回り部と、前記吸収性本体の前記長手方向の他端側に位置する背側胴回り部とを有する外装体と、を有する吸収性物品であって、前記外装体は、前記厚さ方向において、肌側に配置された第１疎水性シートと、前記第１疎水性シートよりも非肌側に配置された第２疎水性シートと、前記第１疎水性シートと前記第２疎水性シートとの間に設けられた親水性シートとを有し、前記外装体の前記腹側胴回り部及び前記背側胴回り部の少なくとも一方において、前記第２疎水性シートの少なくとも一部の領域は、開口を有する領域であり、前記厚さ方向に見た場合に、前記親水性シートのうちの、前記第２疎水性シートの前記開口を有する領域と重複する部分を重複部とし、前記開口を有する領域と重複しない部分を非重複部としたとき、前記重複部の面積は、前記非重複部の面積よりも小さいことを特徴とする吸収性物品である。
本発明の他の特徴については、本明細書及び添付図面の記載により明らかにする。
【発明の効果】
【０００８】
本発明によれば、親水性のシートと疎水性のシートによって汗の吸収及び蒸散を促しつつも、吸収した汗の水滴化を抑制可能な吸収性物品を提供できる。
【図面の簡単な説明】
【０００９】
【図１】パンツ型使い捨ておむつ１の概略斜視図である。
【図２】展開且つ伸長状態のおむつ１を肌側から見た概略平面図である。
【図３】展開且つ伸長状態のおむつ１を非肌側から見た概略平面図である。
【図４】図２中のＣ−Ｃ概略断面図である。
【図５】図５Ａは、図３中のＡ−Ａ線に沿った腹側の概略断面図であり、図５Ｂは、図３中のＡ−Ａ線に沿った背側の概略断面図である。
【図６】図６Ａ及び図６Ｂは、開口４０の変形例を示す図である。
【発明を実施するための形態】
【００１０】
本明細書及び添付図面の記載により、少なくとも以下の事項が明らかとなる。
展開状態において互いに交差する長手方向と幅方向と厚さ方向とを有し、液体を吸収する吸収性本体と、前記吸収性本体の前記長手方向の一端側に位置する腹側胴回り部と、前記吸収性本体の前記長手方向の他端側に位置する背側胴回り部とを有する外装体と、を有する吸収性物品であって、前記外装体は、前記厚さ方向において、肌側に配置された第１疎水性シートと、前記第１疎水性シートよりも非肌側に配置された第２疎水性シートと、前記第１疎水性シートと前記第２疎水性シートとの間に設けられた親水性シートとを有し、前記外装体の前記腹側胴回り部及び前記背側胴回り部の少なくとも一方において、前記第２疎水性シートの少なくとも一部の領域は、開口を有する領域であり、前記厚さ方向に見た場合に、前記親水性シートのうちの、前記第２疎水性シートの前記開口を有する領域と重複する部分を重複部とし、前記開口を有する領域と重複しない部分を非重複部としたとき、前記重複部の面積は、前記非重複部の面積よりも小さいことを特徴とする吸収性物品である。
【００１１】
このような吸収性物品によれば、着用者の汗は、第１疎水性シートを通って親水性シートで吸収され、第２疎水性シートを通って外方に蒸散される。第２疎水性シートの開口を有する領域は、汗の蒸散を促進する領域であり、当該開口を有する領域と親水性シートとが厚さ方向に見て重なる重複部では汗の蒸散量が向上する。当該重複部の面積を、開口を有する領域と重複しない非重複部の面積よりも大きくした場合に比べて、重複部の面積を非重複部の面積よりも小さくした場合の方が、必要以上に蒸散が発生せず、汗の水滴化を抑制でき、衣服が濡れるのをより防止できる。
【００１２】
かかる吸収性物品であって、前記外装体の前記腹側胴回り部及び前記背側胴回り部の少なくとも一方において、前記親水性シートは、前記非重複部のみを有することが望ましい。
【００１３】
このような吸収性物品によれば、重複部を有する場合と比べて蒸散される水分をさらに抑制することができ、衣服の濡れをより防止できる。
【００１４】
かかる吸収性物品であって、前記外装体の前記腹側胴回り部及び前記背側胴回り部において、前記親水性シートは、前記重複部を有しており、前記腹側胴回り部における前記重複部の面積は、前記背側胴回り部における前記重複部の面積よりも小さいことが望ましい。
【００１５】
このような吸収性物品によれば、発汗量の多い背側でより多くの汗を吸収及び蒸散させることができ、着用者の背側での皮膚トラブルを低減できる。また、尿の吸収が多い前側（腹側）の重複部の面積を小さくすることで、腹側の重複部を介して尿漏れが発生する可能性を抑制できる。
【００１６】
かかる吸収性物品であって、前記吸収性本体は、吸収性コアを備え、前記長手方向において、前記腹側胴回り部における前記吸収性コアの端から前記親水性シートの前記吸収性本体側の端までの距離は、前記背側胴回り部における前記吸収性コアの端から前記親水性シートの前記吸収性本体側の端までの距離よりも長いことが望ましい。
【００１７】
このような吸収性物品によれば、尿の吸収が多い腹側において、親水性シートから吸収性コアまでの長手方向の距離を長くしているため、吸収性コアで吸収された尿が親水性シートに移行して尿漏れが発生することを防止できる。
【００１８】
かかる吸収性物品であって、前記腹側胴回り部及び前記背側胴回り部は、前記幅方向に伸縮する弾性部材を有していることが望ましい。
【００１９】
このような吸収性物品によれば、弾性部材の収縮により、肌側に配置される第１疎水性シートと着用者の肌との間に適度な空間ができ、第１疎水性シートが肌に密着し過ぎず、空気の循環が起こり易くなる。これにより、汗の蒸散が促進され、汗の水滴化を抑制し、衣類が濡れるのを防止する。
【００２０】
かかる吸収性物品であって、前記弾性部材は、前記第２疎水性シートと接合されていない部分を有し、前記弾性部材は、前記親水性シートと前記第２疎水性シートとの間に配置されることが望ましい。
【００２１】
このような吸収性物品によれば、親水性シートと第２疎水性シートとの間に弾性部材を配置し、弾性部材を収縮させると、第２疎水性シートと弾性部材とが接合されていない部分においては、第２疎水性シートに空間が発生する。これにより、非肌側面に空気の循環が起こり易くなり、第２疎水性シートからの汗の蒸散を促進できる。
【００２２】
かかる吸収性物品であって、前記弾性部材は、前記長手方向に並んで複数設けられており、前記長手方向に隣り合う二つの前記弾性部材の間の距離は、前記弾性部材自体の前記長手方向の長さの２倍よりも長いことが望ましい。
【００２３】
このような吸収性物品によれば、長手方向に隣り合う二つの弾性部材間の距離を弾性部材自体の長手方向の長さの２倍以下にする場合と比べて、弾性部材自体の長手方向の長さの２倍よりも長くする方が、長手方向において各弾性部材間に適度な空間を形成することができ、各弾性部材によって汗の吸収や蒸散が阻害されない。
【００２４】
かかる吸収性物品であって、前記弾性部材は、前記幅方向の両端部において、前記親水性シートに接合されている一対の両端接合部を有し、前記弾性部材は、前記一対の両端接合部の間に、前記親水性シートに接合されていない非接合部を有することが望ましい。
【００２５】
このような吸収性物品によれば、各弾性部材を一対の両端接合部のみで接合し、一対の両端接合部の間、すなわち、多くの汗を吸収する中央部等においては接合部が存在しないことで、汗の通過を阻害しない。
【００２６】
かかる吸収性物品であって、前記吸収性本体は、吸収性コアを備え、前記親水性シートと前記吸収性コアとの間には、少なくとも一つの前記弾性部材が設けられていることが望ましい。
【００２７】
このような吸収性物品によれば、親水性シートと吸収性コアとの間の弾性部材の収縮により、弾性部材よりも肌側にあるシートが着用者の肌に押し付けられるため、親水性シート側への尿の流入を塞き止めることができる。これにより、尿漏れを発生し難くできる。
【００２８】
かかる吸収性物品であって、前記親水性シートと前記吸収性本体との間には、少なくとも一つの前記弾性部材が設けられていることが望ましい。
【００２９】
このような吸収性物品によれば、親水性シートと吸収性本体との間の弾性部材の収縮により、弾性部材よりも肌側にあるシートが着用者の肌に押し付けられるため、親水性シート側への尿の流入を塞き止めることができる。これにより、尿漏れを発生し難くできる。
【００３０】
かかる吸収性物品であって、前記第１疎水性シートと前記親水性シートとが前記厚さ方向に見て重複する領域において、前記第１疎水性シートは、複数の開口を有していることが望ましい。
【００３１】
このような吸収性物品によれば、第１疎水性シートの開口部分からより多くの汗を透過させ、親水性シートで吸収することができる。それにより、一度に多量の汗をかいた場合でも、素早く吸収し、第１疎水性シートの表面のべたつきを生じ難くし、肌を快適に保つことができる。
【００３２】
かかる吸収性物品であって、前記第１疎水性シートと前記親水性シートとが前記厚さ方向に見て重複する領域において、前記第１疎水性シートは、開口が存在しない非開口領域のみを有していることが望ましい。
【００３３】
このような吸収性物品によれば、第１疎水性シートに開口を形成しないことで、特に尿の吸収量が多い前側（腹側）において尿が当該開口を通って親水性シートに吸収されることを防止する。これにより、親水性シートを介しての尿漏れを誘発し難くする。
【００３４】
＝＝＝実施形態＝＝＝
＜おむつ１の基本構成＞
以下、本発明に係る吸収性物品として、パンツ型使い捨ておむつ（以下、「おむつ１」とも呼ぶ）を例に挙げて実施形態を説明する。図１は、パンツ型使い捨ておむつ１（おむつ１）の概略斜視図である。図２は、展開且つ伸長状態のおむつ１を肌側から見た概略平面図であり、図３は、展開且つ伸長状態のおむつ１を非肌側から見た概略平面図である。図４は、図２中のＣ−Ｃ概略断面図である。
【００３５】
ここで、上述の「展開状態」とは、おむつ１の幅方向における、腹側胴回り部（後述する腹側胴回り部３０ａ）の両端部と、背側胴回り部（後述する背側胴回り部３０ｂ）の両端部との接合を解き、腹側胴回り部と背側胴回り部とを分離するとともに、おむつ１をその長手方向に開くことで、おむつ１を平面上に展開した状態のことである。また、おむつ１の「伸長状態」とは、おむつ１全体（製品全体）を皺なく伸長させた状態、具体的には、おむつ１を構成する各部材（例えば、後述する吸収性本体１０や，胴回り部３０等）の寸法がその部材単体の寸法と一致又はそれに近い寸法になるまで伸長させた状態のことを言う。
【００３６】
おむつ１は、図１に示されるパンツ型状態において、互いに交差する上下方向と幅方向と前後方向とを有している。また、同おむつ１は、所謂３ピースタイプであり、着用者の股間部にあてがわれ排泄液等の液体を吸収する吸収性本体１０と、同着用者の胴回りを覆う外装体３０とを有する。また、外装体３０は、腹側を覆う腹側胴回り部３０ａと、背側を覆う背側胴回り部３０ｂとを有している。上下方向の上側が外装体３０側に対応し、下側が股間部側に対応する。また、前後方向の前側が着用者の腹側に対応し、後側が着用者の背側に対応する。
【００３７】
そして、図２の展開状態において、おむつ１は、互いに交差する長手方向と、幅方向と、厚さ方向とを有する。以下では、この展開状態における長手方向の一方側のことを「腹側」若しくは「前側」とも呼び、長手方向の他方側のことを「背側」若しくは「後側」とも呼ぶ。展開状態の長手方向は、パンツ型状態の上下方向に沿った方向である。また、厚さ方向は、図４に示すように、おむつ１を構成する資材が積層された方向である。厚さ方向において着用者に接する側を肌側とし、その反対側を非肌側とする。
【００３８】
図２の展開状態では、腹側胴回り部３０ａ（図の長手方向前側）と背側胴回り部３０ｂ（図の長手方向後側）とが互いに長手方向に間隔をあけて平行に並んだ状態で、これらの間に吸収性本体１０が掛け渡されつつ、同吸収性本体１０の長手方向の各端部１０ｅａ，１０ｅｂがそれぞれ最寄りの胴回り部３０ａ，３０ｂに接合固定されており、その外観形状は平面視略Ｈ形状をなしている。そして、この状態から、吸収性本体１０がその長手方向の略中央部Ｃ１０を折り位置として二つ折りされる。この二つ折りの状態において互いに対向する腹側胴回り部３０ａと背側胴回り部３０ｂとが、着用者の脇腹に当接すべき部分である腹側胴回り部側縁部３０ａｅｓと、背側胴回り部側縁部３０ｂｅｓと（つまり、幅方向の各端部）にて接合・連結されると、これら胴回り部３０ａ，３０ｂ同士が環状に成形される。これにより、図１に示すような胴周り開口ＢＨ及び一対の脚周り開口ＬＨが形成された着用状態のおむつ１となる。また、以下の説明では、開口ＢＨの環状開口部を形成する腹側胴回り部３０ａの長手方向の端を腹側胴回り部上端３０ａｅｔとし、開口ＢＨの環状開口部を形成する背側胴回り部３０ｂの長手方向の端を背側胴回り部上端３０ｂｅｔとする。
【００３９】
以下、図１乃至図４を参照しつつ、おむつ１の３つの構成部品である吸収性本体１０、腹側胴回り部３０ａ、及び背側胴回り部３０ｂについて説明する。
【００４０】
＜吸収性本体１０の構成＞
図２乃至図４に示すように、吸収性本体１０は、肌側面を形成する液透過性の表面シート部材１３と、非肌側面を形成する液不透過性の裏面シート部材１５と、これら両シート部材１３、１５間に介在するように配置された吸収性コア１１とを備えている。おむつ１では、吸収性コア１１は、液透過性のコアラップシート１２を有しているが、有さなくても良い。
【００４１】
吸収性コア１１は、液体吸収性素材を積層してなる部材であり、尿等の排泄物を吸収することができる。液体吸収性素材としては、例えば、パルプ繊維等の液体吸収性繊維を使用することができる。なお、吸収性コア１１は、液体吸収性粒状物として例えば高吸収性ポリマーを含有していても良いし、または、液体吸収性繊維及び液体吸収性粒状物以外の液体吸収性素材を含んでいても良い。
【００４２】
本実施形態の吸収性コア１１は、図２における長手方向の一方側に腹側端１１ａと、図２における長手方向の他方側に背側端１１ｂとを有する。そして、腹側端１１ａと背側端１１ｂとの間に、腹側端１１ａ及び背側端１１ｂよりも幅方向の幅が狭いくびれ部１１ｃを有する。これにより、吸収性コア１１は図２に示されるような平面視略砂時計形状となるように構成され、吸収性コア１１が着用者の股間にフィットしやすくなる。なお、吸収性コア１１の形状は、上記の平面視略砂時計形状に限らず、例えば、平面視略矩形形状でもよい。
【００４３】
表面シート部材１３は、吸収性コア１１を肌側から覆うシート状の部材であり、例えば吸収性コア１１よりも大きい平面サイズの液透過性の不織布である。また、裏面シート部材１５は、吸収性コア１１を非肌側から覆うシート状の部材であり、吸収性コア１１よりも大きい平面サイズのシートである。裏面シート部材１５の一例としては、ポリエチレン又はポリプロピレン等の液不透過性の防漏シート１５ａと、不織布等の外装シート１５ｂとが貼り合わされた二層構造のシートが挙げられる。そして、これら裏面シート部材１５と表面シート部材１３との間に吸収性コア１１を挟んだ状態において、吸収性コア１１の四辺から外側にはみ出す部分にて、裏面シート部材１５の防漏シート１５ａと表面シート部材１３とが額縁状に貼り合わされ、これにより、吸収性本体１０が概ね形成されている。
【００４４】
また、おむつ１では、図１乃至図４に示すように、外装シート１５ｂによって所謂立体ギャザーＬＳＧ及び脚回りギャザーＬＧが形成される。立体ギャザーＬＳＧは、表面シート部材１３の幅方向の各端部にそれぞれ起立して設けられた防漏壁部であり、他方、脚回りギャザーＬＧは、おむつ１の各脚周り開口ＬＨ、ＬＨに形成される脚周り伸縮部のことである。かかる外装シート１５ｂについて詳説すると、先ず、図４に示すように、外装シート１５ｂの幅方向の寸法は、防漏シート１５ａよりも十分大きくされており、すなわち、外装シート１５ｂは、防漏シート１５ａの幅方向の両側から幅方向に大きくはみ出している。そして、このはみ出した部分１５ｂｆが、吸収性本体１０の幅方向の端部１０ｅｓをなす位置を折り返し位置として幅方向の中央側に折り返されて、同折り返し位置の近傍に長手方向に沿って糸ゴム等の脚周り弾性部材１７が長手方向に伸長された状態で固定され、これにより、上記の脚回りギャザーＬＧが形成されている。
【００４５】
そして、幅方向の中央側に折り返された部分１５ｂｇは、更に幅方向の中央側へと延びていき、表面シート部材１３の幅方向の端部を覆う位置で、同端部に接合されている。そして、この端部に接合された部分よりも更に幅方向の先端側の部分が自由端部分ＬＳＧｆとして表面シート部材１３から起立可能となっている。また、自由端部分ＬＳＧｆの先端部には、長手方向に沿って糸ゴム等のＬＳＧ弾性部材１８が長手方向に伸長された状態で固定されている。自由端部分ＬＳＧｆは、同ＬＳＧ弾性部材１８から付与される収縮力によって長手方向に収縮して表面シート部材１３から起立し、これにより、同自由端部分ＬＳＧｆは立体ギャザーＬＳＧとして機能する。
【００４６】
なお、不図示であるが、場合によっては、表面シート部材１３と吸収性コア１１との間、又は、裏面シート部材１５と吸収性コア１１との間に、セカンドシートとしてティッシュペーパー等の液透過性シートを介装しても良い。
【００４７】
また、図３に示すように、背側胴回り部３０ｂの非肌側の表面には後処理テープ３８が設けられていてもよい。後処理テープ３８は粘着面を有する細長いテープ状の部材であり、使用後のおむつ１を廃棄する際に、長手方向に丸めたおむつ１に対して、折り畳まれている後処理テープ３８を伸ばして粘着面側を該おむつ１に巻き回し、おむつ１を丸めた状態に保持することができる。
【００４８】
＜腹側胴回り部３０ａ及び背側胴回り部３０ｂの構成＞
図２に示すように、外装体３０の腹側胴回り部３０ａは、吸収性本体１０の長手方向の前側（一端側）に位置し、背側胴回り部３０ｂは、吸収性本体１０の長手方向の後側（他端側）に位置している。図５Ａは、図３中のＡ−Ａ線に沿った腹側の概略断面図であり、図５Ｂは、図３中のＡ−Ａ線に沿った背側の概略断面図である。
【００４９】
図５Ａ及び図５Ｂに示すように、外装体３０の腹側胴回り部３０ａ及び背側胴回り部３０ｂは、それぞれ、厚さ方向において肌側に配置された第１疎水性シート３０１と、第１疎水性シート３０１よりも非肌側に配置された第２疎水性シート３０２と、第１疎水性シート３０１と第２疎水性シート３０２との間に設けられた親水性シート３０３とを備えている。第１疎水性シート３０１は、疎水性の繊維で構成された疎水性を有するシートであり、着用者の汗を透過させる。親水性シート３０３は、汗を吸収可能な親水性のシートであり、例として、パルプシートやティッシュ等の他、親水化剤が塗布されたシート部材を使用しても良い。第２疎水性シート３０２は、第１疎水性シート３０１と同様に疎水性の繊維で構成された疎水性を有するシートであり、親水性シート３０３よりも非肌側に配置されることによって、汗の蒸散を促している。
【００５０】
ここで、上記の「疎水性」とは、各第１及び第２疎水性シート３０１、３０２の表面において液体が拡がらず、そして第１及び第２疎水性シート３０１、３０２の表面が９０°よりも大きい接触角を有することを意味する。接触角とは、水平面（水平な表面）を有する各第１及び第２疎水性シート３０１、３０２と当該水平面上に滴下された水（液滴）とを接触させた状態において、液体の輪郭曲線と当該水平面との交点における当該輪郭曲線の接線と、当該水平面とがなす角度である。各第１及び第２疎水性シート３０１、３０２の接触角は、９０°よりも大きく、疎水性の表面を有している。逆に、接触角が９０°よりも小さければ、親水度の高い親水性と判断され、親水性シート３０３は、その表面が９０°よりも小さい接触角を有している。
【００５１】
また、第２疎水性シート３０２は、図２、図５Ａ及び図５Ｂに示すように、腹側胴回り部上端３０ａｅｔ及び背側胴回り部上端３０ｂｅｔから上下方向の上側に延出し、腹側胴回り部上端３０ａｅｔ及び背側胴回り部上端３０ｂｅｔをそれぞれ折り返し位置として、胴周り開口ＢＨの周縁部に沿って第１疎水性シート３０１の肌対向面側に折り返される折り返し部分３０２Ｆを有している。本実施形態では、折り返し部分３０２Ｆは、吸収性本体１０の長手方向の前端及び後端を被覆しているが、被覆しないように折り返し部分３０２Ｆを短くしてもよい。
【００５２】
上述のように、親水性シート３０３を第１疎水性シート３０１と第２疎水性シート３０２との間に設けることで、まず、着用者の肌から出た汗は、第２疎水性シート３０２の折り返し部分３０２Ｆを通り、第１疎水性シート３０１を通過し、親水性シート３０３で吸収される。そして、吸収された汗は、さらに非肌側に位置する第２疎水性シート３０２を介して蒸散される。
【００５３】
さらに、腹側胴回り部３０ａ及び背側胴回り部３０ｂの少なくとも一方において、第２疎水性シート３０２の少なくとも一部の領域は、図３に示すような開口４０を含む開口を有する領域４５であることが望ましい。当該開口４０は、おむつ１の通気性を高めるために設けられ、形状は、丸型、楕円型、四角型等の開孔であっても、シート部材をカットする切り込み等であってもよい。
【００５４】
そして、ここでの「開口を有する領域」とは、複数の開口に外側から接する矩形領域をいう。本実施形態では、開口を有する領域４５の一例を図３に示している。図３では、第２疎水性シート３０２の腹側胴回り部３０ａ及び背側胴回り部３０ｂの幅方向中央付近に、上下方向に沿って複数の開口４０を設け、当該複数の開口４０は、幅方向に２列並んで設けられている。そして、各列の複数の開口４０に外側から接するように矩形状に囲んだ領域を開口を有する領域４５という。尚、開口を有する領域４５は、少なくとも一つ以上の開口を有していればよい。また、本実施形態では、開口４０は複数列状設けられているが、一列状でも良い。
【００５５】
また、本実施形態の開口４０を形成する際には、後述する腹側弾性部材３５ａ及び背側弾性部材３５ｂが切断され、開口を有する領域４５では、各弾性部材３５ａ、３５ｂは非連続となっている。よって、当該開口を有する領域４５では腹側胴回り部３０ａ及び背側胴回り部３０ｂが幅方向に収縮しにくい。そのため、吸収性コア１１に皺が発生しにくい。
【００５６】
上述のように、最も非肌側である第２疎水性シート３０２に通気性を高める開口４０を設けることによっておむつ１の通気性は向上するが、当該開口４０が厚さ方向に見て親水性シートとも重なるように形成される場合、蒸散される汗が開口４０に誘導されて一部が水滴化し、着用者の衣類を濡らしてしまう虞もあった。
【００５７】
そこで本実施形態では、当該開口を有する領域４５を厚さ方向に見た場合に（図３）、親水性シート３０３のうちの、第２疎水性シート３０２の開口を有する領域４５と重複する部分を重複部５０とし、開口を有する領域４５と重複しない部分を非重複部５１とすると、重複部５０の面積は、非重複部５１の面積よりも小さくなるようにしている（図３の背側胴回り部３０ｂを参照）。図３では、親水性シート３０３の位置を分かりやすくするために、腹側胴回り部３０ａ及び背側胴回り部３０ｂにおいて親水性シート３０３をドット模様で示している。また、図５Ｂでは、親水性シート３０３と開口を有する領域４５との上下方向での重なり（所謂、重複部５０）を詳細に示している。本実施形態では、開口を有する領域４５は背側胴回り部３０ｂに２列設けられていることから、開口を有する領域４５と重複する親水性３０３の重複部５０は、２つ設けられている。よって、本実施形態の重複部５０の面積とは、２つの重複部５０の面積の合計をいう。
【００５８】
このような構成により、開口を有する領域４５と重複する重複部５０では汗の蒸散量が向上するが、重複部５０の面積を、開口を有する領域４５と重複しない非重複部５１の面積よりも大きくした場合に比べて、重複部５０の面積を非重複部５１の面積よりも小さくした場合の方が、必要以上に汗の蒸散が発生せず、水滴化を抑制できる。それにより、着用者の衣服が濡れるのをより防止できる。
【００５９】
また、腹側胴回り部３０ａ及び背側胴回り部３０ｂの少なくとも一方において、親水性シート３０３は、非重複部５１のみを有するようにすることが望ましい。本実施形態では、背側胴回り部３０ｂの親水性シート３０３に重複部５０を設け、腹側胴回り部３０ａの親水性シート３０３は、重複部を含まずに非重複部５１のみを有している。腹側胴回り部３０ａのように、厚さ方向に見て、親水性シート３０３と重複しないように開口４０を設けることで、重複部５０を有する場合と比較して蒸散される汗の量をさらに抑制することができ、汗の水滴化を防止して衣類を濡れにくくすることができる。
【００６０】
本実施形態においては、胴回り部３０の少なくとも一方（背側胴回り部３０ｂ）において、親水性シート３０３は重複部５０を有しているが、腹側胴回り部３０ａ及び背側胴回り部３０ｂの双方において、親水性シート３０３に重複部５０を設けてもよい。そして、その場合、腹側胴回り部３０ａにおける重複部５０（不図示）の面積は、背側胴回り部３０ｂにおける重複部５０の面積よりも小さいことが望ましい。そうすることで、発汗量の多い背側でより多くの汗を吸収及び蒸散させることができ、着用者の背側での皮膚トラブルを低減できる。また、尿の吸収が多い前側（腹側）の重複部５０の面積を小さくすることにより、尿が親水性シート３０３に誘導されて重複部５０から漏れ出ることを抑制できる。
【００６１】
また、図２に示すように、長手方向において、腹側胴回り部３０ａにおける吸収性コア１１の端１１ａ（腹側端１１ａ）から親水性シート３０３の吸収性本体１０側の端３０３ａｅまでの距離（Ｓ１）は、背側胴回り部３０ｂにおける吸収性コア１１の端１１ｂ（背側端１１ｂ）から親水性シート３０３の吸収性本体１０側の端３０３ｂｅまでの距離（Ｓ２）よりも長くなっている。尿の吸収が多い腹側において、親水性シート３０３から吸収性コア１１までの長手方向の距離（Ｓ１）を長くすることで、吸収性コア１１で吸収された尿が親水性シート３０３に移行して尿漏れが発生することを防止することができる。
【００６２】
また、図２に示すように、腹側胴回り部３０ａ及び背側胴回り部３０ｂは、幅方向に伸縮する糸ゴム等の弾性部材３５を有している。具体的には、幅方向に沿って複数本の弾性部材３５、３５・・・が幅方向に伸長された状態で配置されている。そして、かかる複数本の弾性部材３５、３５・・・は、長手方向に間隔を空けて長手方向に並んで設けられている。本明細書中では、腹側胴回り部３０ａに設けられる弾性部材３５を腹側弾性部材３５ａとし、背側胴回り部３０ｂに設けられる弾性部材３５を背側弾性部材３５ｂとする。
【００６３】
当該腹側弾性部材３５ａ及び背側弾性部材３５ｂにより幅方向の伸縮性が付与され、各弾性部材３５ａ及び３５ｂが収縮することで、肌側にある第１疎水性シート３０１（及び折り返し部分３０２Ｆ）と着用者の肌との間に適度な空間ができる。それにより、第１疎水性シート３０１が肌に密着し過ぎず、空気の循環が起こり易くなる。結果として、汗の蒸散が促進され、汗の水滴化を抑制する。
【００６４】
また、弾性部材３５（腹側弾性部材３５ａ及び背側弾性部材３５ｂ）は、親水性シート３０３と第２疎水性シート３０２との間に配置され、当該弾性部材３５は、第２疎水性シート３０２と接合されていない部分を有することが望ましい。これにより、各弾性部材３５を収縮させると、第２疎水性シート３０２と各弾性部材３５とが接合されていない部分においては、第２疎水性シート３０２に空間が発生する。その結果、第２疎水性シート３０２が配置されているおむつ１の非肌側面に空気の循環が起こり易くなり、第２疎水性シート３０２からの汗の蒸散を促進する。
【００６５】
また、図２に示すように、親水性シート３０３と第２疎水性シート３０２との間に配置される腹側弾性部材３５ａは、幅方向の両端部である腹側胴回り部側縁部３０ａｅｓ、３０ａｅｓにおいて、親水性シート３０３に接合されている一対の両端接合部６０を有している。同様に、親水性シート３０３と第２疎水性シート３０２との間に配置される背側弾性部材３５ｂも、幅方向の両端部である背側胴回り部側縁部３０ｂｅｓ、３０ｂｅｓにおいて、親水性シート３０３に接合されている一対の両端接合部６０を有している。親水性シート３０３との接合は、例えばホットメルト接着剤等を用いて行われる。そして、一対の両端接合部６０を有する各腹側弾性部材３５ａ及び背側弾性部材３５ｂは、一対の両端接合部６０の間に、親水性シート３０３に接合されていない非接合部６１を有する。つまり、親水性シート３０３と第２疎水性シート３０２との間に配置される各弾性部材３５ａ及び３５ｂを一対の両端接合部６０のみで接合し、一対の両端接合部６０の間、すなわち、多くの汗を吸収する幅方向の中央付近等を含む領域においては、接合する部分が存在しない非接合部６１になる。非接合部６１では、例示したホットメルト接着剤等の汗の蒸散を阻害しやすい要因が存在しないため、汗の蒸散は促され、着用者に不快感を与えにくくすることができる。
【００６６】
また、長手方向に並んで設けられる複数の弾性部材３５（３５ａ、３５ｂ）においては、図５Ａに例として示すように、長手方向（上下方向）に隣り合う二つの弾性部材３５ａ、３５ａの間の距離（Ｌ２）が、一つの弾性部材３５ａ自体の上下方向（長手方向）の長さ（Ｌ１）の２倍よりも長いことが望ましい。このような構成によれば、長手方向に隣り合う二つの弾性部材３５ａ、３５ａの間の距離（Ｌ２）を、弾性部材３５ａ自体の長手方向の長さ（Ｌ１）の２倍以下にする場合と比較して、弾性部材３５ａ自体の長手方向の長さ（Ｌ１）の２倍よりも長くする方が、長手方向において弾性部材３５ａ、３５ａ間に適度な空間が形成され、各弾性部材３５ａが汗の吸収や蒸散を阻害せず、汗が抜け易くなる。
【００６７】
そして、親水性シート３０３と吸収性コア１１との間には、少なくとも一つの弾性部材３５が設けられることが望ましい（図５Ａ）。本実施形態の腹側胴回り部３０ａでは、親水性シート３０３と吸収性コア１１との間に、弾性部材３５ａ’及び３５ａ’’が設けられている。これら弾性部材３５ａ’及び３５ａ’’の収縮により、弾性部材３５ａ’及び３５ａ’’よりも肌側にある第１疎水性シート３０１及び折り返し部分３０２Ｆが着用者の肌に押し付けられるため、親水性シート３０３側への尿の流入を塞き止めることができる。これにより、親水性シート３０３を介して尿漏れが発生することを防止する。
【００６８】
同様に、親水性シート３０３と吸収性本体１０との間には、少なくとも一つの弾性部材３５が設けられていることが望ましい。本実施形態では、吸収性コア１１だけでなく、吸収性コアを被覆するコアラップシート１２や、表面シート部材１３及び裏面シート部材１５を含む吸収性本体１０と親水性シート３０３との間に弾性部材３５（例として、図５の弾性部材３５ａ’及び３５ａ’’）が存在している。当該弾性部材３５の収縮により弾性部材３５よりも肌側にある第１疎水性シート３０１及び折り返し部分３０２Ｆが着用者の肌に押し付けられるため、吸収性本体１０から親水性シート３０３側への尿の流入を抑制できる。これによって、親水性シート３０３を介して尿漏れが発生することを防止する。
【００６９】
また、図５Ａ及び図５Ｂに図示するような第１疎水性シート３０１と親水性シート３０３とが厚さ方向に見て重複する領域において、第１疎水性シート３０１は、複数の開口（不図示）を有していることが望ましい。上述の「厚さ方向に見て重複する領域」とは、厚さ方向に見た場合に、図２の腹側胴回り部３０ａ及び背側胴回り部３０ｂにおいて親水性シート３０３が配置されている部分（ドット模様で示した親水性シート３０３の領域）と重複する領域を意味する。当該領域において、第１疎水性シート３０１が開口を有する場合、開口部分からより多くの汗を引き込み、親水性シート３０３側への汗の移行性を向上させる。それにより、一度に大量に汗をかいた場合でも、素早く吸収し、第１疎水性シート３０１の表面のべたつきを生じ難くし、肌を快適に保つことができる。
【００７０】
しかしながら、図５Ａ及び図５Ｂに図示するような第１疎水性シート３０１と親水性シート３０３とが厚さ方向に見て重複する領域において、第１疎水性シート３０１は、開口が存在しない非開口領域（不図示）のみを有していてもよい。第１疎水性シート３０１に開口を形成しないことで、特に尿の吸収量が多い前側（腹側）において、尿が当該開口を通過して親水性シート３０３に吸収されることを防止する。これにより、親水性シートを介しての尿漏れを発生し難くする。
＝＝＝その他の実施の形態＝＝＝
【００７１】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００７２】
上述の実施形態では、吸収性物品の一例としてパンツ型使い捨ておむつ１を例示したが、何等これに限らない。例えば、テープ式の使い捨ておむつでも良い。また、パンツ型の使い捨ておむつ１として、展開状態において腹側胴回り部３０ａと背側胴回り部３０ｂとの間に吸収性本体１０が掛け渡されてなる所謂３ピースタイプのおむつを例示したが、展開状態において略砂時計形状の外装シートの肌側面に吸収性本体が載置されてなる所謂２ピースタイプのおむつでも良い。
【００７３】
上述の実施形態では、図５Ａ及び図５Ｂに示すように、腹側胴回り部３０ａ及び背側胴回り部３０ｂは、第２疎水性シート３０２が、腹側胴回り部上端３０ａｅｔ及び背側胴回り部上端３０ｂｅｔをそれぞれ折り返し位置として折り返した折り返し部分３０２Ｆを有しているが、折り返さない構成であってもよい。つまり、第２疎水性シート３０２の上下方向の上端が、第１疎水性シート３０１の上下方向の上端と同じ位置で終端してもよい。その場合、外装体３０の腹側胴回り部３０ａ及び背側胴回り部３０ｂには、第１疎水性シート３０１、第２疎水性シート３０２及び親水性シート３０３のみを有する領域が形成される。かかる領域では、汗の吸収性及び汗の蒸散機能が最も高まり、肌側面のベタつきを抑制し、非肌側面から汗も蒸散されやすくなる。
【００７４】
第２疎水性シート３０２の腹側胴回り部３０ａ及び背側胴回り部３０ｂの幅方向中央部分に、上下方向に沿って複数の開口４０を設けていたが、何等これに限らない。図６Ａ及び図６Ｂは、開口４０の変形例を示す図である。図６Ａに示すように、開口４０は、例えば、外装体３０の第２疎水性シート３０２の上下方向に沿って配置され、さらに幅方向に複数列状かつ外装体３０全体に設けられても良い。これにより、おむつ１の通気性を向上させるだけでなく、親水性シート３０３においても、重複部５０の面積を非重複部５１の面積よりも小さくすることで、必要以上に汗を蒸散させることなく、通気性を高めることができる。また、図６Ｂに示すように、開口４０は、例えば、幅方向の両端部側だけに設けられていても良い。図６Ｂの位置だけでなく、親水性シート３０３の重複部５０の面積が非重複部５１の面積よりも小さくなるように開口４０が配置される限り、蒸れやすい箇所等の所望の位置に開口４０を形成可能である。
【符号の説明】
【００７５】
１  おむつ（吸収性物品）、
１０  吸収性本体、１０ｅａ  端部、１０ｅｂ  端部、１０ｅｓ  端部、
１３  表面シート部材、１５  裏面シート部材、１５ｂｇ  折り返された部分、
１１  吸収性コア、１１ａ  腹側端、１１ｂ  背側端、
１１ｃ  くびれ部、
１２  コアラップシート、
１５ａ  防漏シート、１５ｂ  外装シート、
１７  脚周り弾性部材、
１８  ＬＳＧ弾性部材
３０  外装体、３０ａ  腹側胴回り部、３０ｂ  背側胴回り部、
３０ａｅｓ  腹側胴回り部側縁部、３０ｂｅｓ  背側胴回り部側縁部、
３０ａｅｔ  腹側胴回り部上端、３０ｂｅｔ  背側胴回り部上端、
３５  弾性部材、３５ａ  腹側弾性部材、３５ａ’  弾性部材、
３５ａ’’  弾性部材、３５ｂ  背側弾性部材、
３８  後処理テープ、
４０  開口、４５  開口を有する領域、
５０  重複部、５１  非重複部
６０  両端接合部、６１  非接合部、
３０１  第１疎水性シート、
３０２  第２疎水性シート、３０２Ｆ  折り返し部分３０２、３０２ａ  肌側面、
３０３  親水性シート、３０３ａ  非肌側面、３０３ａｅ  端、３０３ｂｅ  端、
Ｃ１０  略中央部
ＬＨ  脚周り開口、ＢＨ  胴周り開口、
ＬＳＧ  立体ギャザー、ＬＳＧｆ  自由端部分
【図１】
2020127539.tif 000003
【図２】
2020127539.tif 000004
【図３】
2020127539.tif 000005
【図４】
2020127539.tif 000006
【図５】
2020127539.tif 000007
【図６】
2020127539.tif 000008